(57)【要約】【課題】  予めインターネット接続のためのハードウエアが用意されていない端末機において、当該端末に標準装備されているＩ／Ｆコネクタに接続する端末用のインターネット接続アダプタの提供。【解決手段】  インターネット接続用のハードウエアを具備しない端末機をインターネット網に接続するためのアダプタであって、端末機の有する所定のＩ／Ｆコネクタに着脱可能に構成され、当該アダプタとの間で無線通信可能なブロードバンドモデムとの間で無線通信するための無線通信手段と、サーバから前記ブロードバンドモデムを介して送信されたコンテンツ情報を格納するためのコンテンツメモリーとを具備する。【選択図】  図１
2005080276.tif 000002
【特許請求の範囲】
【請求項１】
インターネット接続用のハードウエアを具備しない端末機をインターネット網に接続するためのアダプタであって、
当該アダプタは、端末機の有する所定のＩ／Ｆコネクタに着脱可能に構成され、
当該アダプタとの間で無線通信可能なブロードバンドモデムとの間で無線通信するための無線通信手段と、
サーバから前記ブロードバンドモデムを介して送信されたコンテンツ情報を格納するためのコンテンツメモリー
とを少なくとも有することを特徴とするインターネット接続用アダプタ。
【請求項２】
コンテンツメモリーに格納されたコンテンツ情報が暗号化されている場合、これを端末機に送信する際にデコードするデコーダをさらに有することを特徴とする請求項１記載のインターネット接続用アダプタ。
【請求項３】
無線通信手段は、デジタル内線機能を有するＰＨＳ無線通信モジュール若しくはＰＨＳ無線通信カードであることを特徴とする請求項１または２記載のインターネット接続用アダプタ。
【請求項４】
無線通信手段は、Ｂｌｕｅｔｏｏｔｈ（Ｒ）規格に準拠した無線通信モジュール若しく無線通信カードであることを特徴とする請求項１または２記載のインターネット接続用アダプタ。
【請求項５】
ダウンロードしたコンテンツ情報を外部メモリーに保存するためのコネクタを有することを特徴とする請求項１または２または３または４記載のインターネット接続用アダプタ。
【請求項６】
コネクタは、ＳＤカード若しくはメモリースティック（Ｒ）のいずれかのメモリーカード規格に準拠していることを特徴とする請求項５記載のインターネット接続用アダプタ。
【請求項７】
端末機は、所定のＩ／Ｆコネクタを有してなる、携帯情報端末、ゲーム機、デジタルカメラ、ビデオカメラ、ＣＤプレーヤ、ＭＤプレーヤ、ＤＶＤデッキ、デジタル家電機器のいずれかであることを特徴とする請求項１乃至請求項６いずれか１項記載のインターネット接続用アダプタ。
【発明の詳細な説明】
【発明の詳細な説明】
【技術分野】
【０００１】  本発明は、屋内無線通信と広帯域回線通信（以下、「ブロードバンド」という）を用いてインターネット網に接続し、サーバで提供されているコンテンツをダウンロードして、これを端末機で利用するためのインターネット接続用アダプタに関する。
【背景技術】
【０００２】  近年、インターネット網を通してネットワークコンテンツが利用されるようになり、それに伴い、各端末専用のインターネット網への接続手段が種々考案されるようになった。【０００３】  具体的な例としてゲーム機の場合、「ブロードバンドアダプタ」（非特許文献１参照）、「モバイルアダプタ」（非特許文献２参照）がそれに当たる。【０００４】  非特許文献１のアダプタは、スタンドアロン型の家庭用ゲーム機に予めＬＡＮケーブルコネクタを準備しておき、通信ゲームを行うときは当該ＬＡＮケーブルを介してブロードバンド回線に接続してインターネット上で提供されるコンテンツを利用可能としたものである。【０００５】  非特許文献２のアダプタは、携帯型のゲーム機に用意されている通信用ソケットに通信アダプタの一端を接続し、他の一端を携帯電話に接続し、この携帯電話機により狭帯域通信回線（以下、「ナローバンド」という）にダイアルアップし、公衆回線を通してインターネット網に接続して当該ネットワーク上（コンテンツサーバ８０）で提供されているコンテンツにアクセスするものである。【０００６】
【非特許文献１】「ｈｔｔｐ：／／ｗｗｗ．ｎｉｎｔｅｎｄｏ．ｃｏ．ｊｐ／ｎｇｃ／ａｃｅ／ｇｃ＿ｂｂａ．ｐｄｆ」（ウェブページ、２００３年７月現在）
【非特許文献２】「ｈｔｔｐ：／／ｗｗｗ．ｎｉｎｔｅｎｄｏ．ｃｏ．ｊｐ／ｎ０７／ｉｎｄｅｘ．ｈｔｍｌ」（ウェブページ、２００３年７月現在）
【０００７】  非特許文献１の接続アダプタは、瞬時に容量の大きいデータのやり取りをするネットワークゲームが可能であるものの、予めＬＡＮケーブル用のインターフェースを当該ゲーム機に準備しておく必要がある。【０００８】  又、非特許文献２のアダプタは、モバイル通信を有効に利用することができるがナローバンドであるために通信速度が遅く、従量制の携帯電話料金、その他パケット代金など利用料金が割高であるといった問題があった。
【発明の開示】
【発明が解決しようとする課題】
【０００９】  そこで、本発明はこのような問題に鑑みてなされたものであって、予めインターネット接続のためのハードウエアが用意されていない端末においても、当該端末に標準装備されているインターフェースコネクタに接続して使用する端末機用のインターネット接続アダプタを提供することを目的とする。【００１０】  また、本発明の第２の目的は、コンテンツデータをより高速にダウンロードすることができる端末機用インターネット接続アダプタを提供することにある。【００１１】  さらに、本発明の第３の目的は、端末機用の無線通信アダプタを用い、端末機とブロードバンドモデム間を無線で接続して端末機が屋内の広範囲で使用できるようにする端末機用のインターネット接続アダプタを提供することにある。【００１２】  また、本発明の第４の目的は、一台のブロードバンドモデムに対し複数の端末機が無線でインターネット接続できる、端末機用インターネット接続アダプタを提供することにある。【００１３】  さらに、本発明の第５の目的は、端末機用アダプタとブロードバンドモデム間のデータ送受信に伴う消費電力を極力抑え、端末機若しくは端末機用アダプタの内部電源の使用時間を極力延ばすことができる、端末機用インターネット接続アダプタを提供することにある。
【課題を解決するための手段】
【００１４】  本発明では上記課題解決のため、端末機に標準装備されている所定のＩ／Ｆコネクタに接続する専用のアダプタを用いる。このアダプタは、インターネット接続用のブロードバンドモデムとの間で無線通信可能な機能を装備している。ブロードバンドモデムは、端末機に接続された無線通信アダプタとの間で無線通信可能な機能を有し、端末機側で指定されたコンテンツ情報を、アダプタ内に設けたコンテンツメモリーにダウンロードする。サーバから提供されるコンテンツ情報が暗号化されている場合、端末機で使用する際にはこれをデコードするものである。【００１５】  より詳細には、本発明が以下に上位概念から下位概念に亙り列挙する新規な構成手法または構成手段を用いることにより、上記課題を解決する。【００１６】  上記課題を解決するため請求項１では、インターネット接続用のハードウエアを具備しない端末機をインターネット網に接続するためのアダプタであって、当該アダプタは、端末機の有する所定のＩ／Ｆコネクタに着脱可能に構成され、当該アダプタとの間で無線通信可能なブロードバンドモデムとの間で無線通信するための無線通信手段と、サーバから前記ブロードバンドモデムを介して送信されたコンテンツ情報を格納するためのコンテンツメモリーとを少なくとも有するインターネット接続用アダプタを提供する。【００１７】  上記アダプタを端末機の有するＩ／Ｆコネクタに接続する接続し、端末機より所定のサーバへの接続指令があると、アダプタは当該アダプタと無線通信可能なブロードバンドモデムとの間で無線通信により、前記所定のサーバへの接続を指令する。ブロードバンドモデムは、ブロードバンド回線により、インターネット上のサーバと前記端末間の通信を確立する。端末機で指定されたサーバ上のコンテンツは、インターネット網を利用し、前記モデムから無線で前記アダプタのコンテンツメモリーにダウンロードされ、端末機で利用される。【００１８】  なお、コンテンツメモリーに送信されたコンテンツ情報が暗号化されている場合、これを端末機に送信する際、これをデコードするデコーダをアダプタに設けても良い（請求項２）。これにより、コンテンツメモリーにダウンロードされたコンテンツ情報は、端末機で即利用可能となる。【００１９】  また、アダプタ内に設けた無線通信手段は、デジタル内線機能を有するＰＨＳ無線通信モジュール若しくはＰＨＳ無線通信カードで構成することができる（請求項３）。前記モデムにアダプタと通信する同様の無線通信手段を設ければ、アダプタとモデム間をワイヤレスで接続でき使用態様が広がるとともに、モデム側を親機、端末機側（アダプタ）を子機とすることにより、１台のモデ厶に対し、複数台の子機端末をワイヤレスで接続することができる。【００２０】  また、アダプタの無線通信手段は、Ｂｌｕｅｔｏｏｔｈ（Ｒ）規格に準拠した無線通信モジュール若しく無線通信カードで構成することができる（請求項４）。この場合、アダプタとモデム間の無線通信に係る消費電力を極力抑えることができ、端末機に設けた内部電源（電池）の寿命を延ばすことができる。【００２１】  さらにアダプタには、ダウンロードしたコンテンツ情報を外部ストレージデバイスに保存するた��のコネクタを設けても良い（請求項５）。この場合、コネクタ部は、ＳＤカード若しくはメモリースティック（Ｒ）のいずれかのカード規格に準拠することができる（請求項６）。このようにすれば、コンテンツメモリーに格納したコンテンツ情報を、ＳＤカードやメモリースティック（Ｒ）に保存しておくことができるとともに、コンテンツメモリーの使用容量を拡大することができる。【００２２】  ここで端末機は、所定のＩ／Ｆコネクタを有してなる、携帯情報端末、ゲーム機、デジタルカメラ、ビデオカメラ、ＣＤプレーヤ、ＭＤプレーヤ、ＤＶＤデッキ、その他のデジタル家電機器のいずれかで構成することができる（請求項７）。【００２３】  このため、上記端末機は、特別のインターネット接続のためのハードウエアが用意されていなくても、所定のＩ／Ｆコネクタが設けてあれば、このコネクタにアダプタを接続することにより、所望のコンテンツをアダプタにダウンロードしてこれを利用することができる。
【発明の効果】
【００２４】  本発明によれば、専用の通信アダプタを用いることにより、インターネット接続のためのインターフェースが具備されていない機器（端末機）においても、コンテンツ情報をダウンロードすることが可能となる。【００２５】  また、端末機と屋内のブロードバンドモデム間を無線でデータ送受信することにより、端末機は特別の障害がない限り屋内の比較的広い範囲で使用できる。特にデジタル内線機能を用いる場合は、その親機機能を有するブロードバンドモデムに対し複数の子機端末が無線でインターネット接続が可能となる。【００２６】  さらに、端末機とブロードバンドモデム間のデータ送受信をＢｌｕｅｔｏｏｔｈ（Ｒ）通信で行う場合、消費電力を極力抑えることができ、端末機や無線通信アダプタの内部電源の使用時間を延ばすことができる。
【発明を実施するための最良の形態】
【００２７】  以下、本発明の実施の形態について図面を用いて説明する。なお、本発明の実施の形態は下記の実施例に何ら限定されることなく、本発明の技術的範囲に属する限り種々の形態を採りうる。また、本願において、（Ｒ）を付記してなるものは、それが登録商標である旨を示すものである。【００２８】  はじめに、本発明方法を実施するためのシステム構成の概念を、図１を用いて説明する。端末機１０に標準装備されているＩ／Ｆコネクタに無線通信アダプタ２０を接続する。この無線通信アダプタ２０には、デジタル内線機能を有するＰＨＳ通信モジュールを内蔵する（子機側）。当該通信モジュールの内線機能を利用して内線の親機能を具備したブロードバンドモデム５０との間で無線データ通信が可能となっている。【００２９】  ブロードバンドモデム５０が前記子機相当の端末機側から、インターネット接続命令信号（特定のＵＲＬ）を受信すると、ブロードバンド回線（ＡＤＳＬ、光ファイバー回線／ＦＤＤＩ）を利用してサーバ８０に接続し、サーバで提供されている所望のコンテンツを無線通信アダプタ２０内のコンテンツメモリー（ＲＯＭ２９）にダウンロードするものである。この無線通信アダプタ２０のコンテンツメモリー２９に記憶されたコンテンツは、端末機１０で読み出して利用され得る。【００３０】  尚、本発明方法を実施するための端末機１０としては、所定のＩ／Ｆコネクタを有するものであれば、携帯情報端末（ＰＤＡ）、デジタルカメラ、デジタルビデオカメラ、ゲーム機、ＤＶＤデッキ、ＣＤプレーヤ、ＭＤプレーヤなどの各種オーディオ機器、電子調理器などのデジタル家電機器、さらには今後販売されるデジタルテレビジョン受信機など、各種のデジタル機器を採用できる。尚、これらデジタル機器は、前記Ｉ／Ｆコネクタに接続しているバス上にＣＰＵ、ＲＡＭ、ＲＯＭの他、ＬＣＤなどの表示装置、スピーカ、操作ボタンなどのコントローラを具備することが好ましい。【００３１】  そして、本端末機の最大の特徴は、無線データ通信機能を具備したモジュールを内蔵するかもしくは通信カードを挿入して使用する専用の無線通信アダプタを、当該端末機が有する所定のＩ／Ｆコネクタに接続して、後述するブロードバンドモデム５０との間で無線通信を行うことにある。【００３２】  無線通信アダプタ２０のＩ／Ｆコネクタ部の形状、制御回路、インターフェースなどは、端末機のＩ／Ｆコネクタの形状、内部の制御回路、即ちＣＰＵやＲＡＭ、ＲＯＭの機能、さらには外部機器と接続するためのインターフェースなど種々の条件を考慮し、これらに適合するよう適宜構成され得るものである。【００３３】  次に、端末機１０及び無線通信アダプタ２０のハードウエア構成例について、図２を用いて説明する。【００３４】  端末機１０はＣＰＵ１１、ＬＣＤなどの表示装置１２、基本ソフト（ＯＳ）などシステム機能上必要なプログラムやデータを予め格納しているＲＯＭ１３、データ及びプログラムなどを一時的に格納するためのＲＡＭ１４、操作ボタンやコントロール用十字キーなどヒューマンインターフェースとしてのＩ／Ｏ（１５）、さらにＩ／Ｆコネクタ１６を有する。通常の使用形態としては、アプリケーション（所定情報やプログラム）が��憶された媒体を当該Ｉ／Ｆコネクタ１６に挿入し、当該アプリケーションが実行されるものであるが、本発明方法は、前記Ｉ／Ｆコネクタ１６に、本発明の無線通信アダプタ２０を接続して使用するものである。【００３５】  この無線通信アダプタ２０はＩ／Ｆコネクタ２７を有し、前記Ｉ／Ｆコネクタ１６に接続されるようになっている。無線通信アダプタ２０のハードウエアは、ＣＰＵ２１、ＲＯＭ２３、ＲＡＭ２４、無線通信モジュール２５、デコーダ２６、インターフェース２８、コンテンツ格納用メモリー（ＲＯＭ）２９の構成を有する。【００３６】  ここで、ＲＯＭ２３には、端末機１０でインターネット接続を行うに際して画面にメニューなどを表示するための表示プログラム、ならびに前記メニューによって選択されるインターネット接続先である複数のリソースロケーション情報（ＵＲＬ）などを記憶している。ＲＡＭ２４は作業領域としてのワークＲＡＭである。【００３７】  無線通信アダプタ２０のＩ／Ｆコネクタ２７を端末機１０のＩ／Ｆコネクタ１６に接続すると、無線通信アダプタ２０のインターフェース２８を介して、端末機１０と無線通信アダプタ２０のバス（データバス、アドレスバス）が相互接続され、両者間でデータの処理（信号やデータの授受）が可能となる。【００３８】  ブロードバンドモデム５０は、無線通信アダプタ２０との間で無線通信が可能なように無線通信カード７０が挿入可能になっているとともに（図１参照）、ブロードバンド回線を利用して所定のコンテンツサーバ８０と接続して、端末機とコンテンツサーバ８０間での通信を確立させる。ブロードバンド回線としては、ＡＤＳＬ、光ファイバー回線（ＦＤＤＩ）を利用できる。ここでブロードバンドモデム５０は、無線通信モジュールを内蔵するものであってもよい。【００３９】  コンテンツサーバ８０は、多種多様のコンテンツが格納されており、会員向け若しくは非会員向けの各種コンテンツの提供を行うが、本発明方法の場合、コンテンツサーバ８０は少なくとも端末機１０のＯＳ上で使用可能なコンテンツを提供する。提供する際、著作権の関係から、コンテンツの生データをそのままでは使用できないように、所定の暗号化を施すことが好ましい。よって、後述する無線通信アダプタ２０のデコーダ２６はこの暗号を解除する機能を備するものである。【００４０】  以下、無線通信アダプタ２０が端末機１０に接続された場合、当該端末機１０がブロードバンドモデム５０を介してコンテンツサーバ８０にアクセスして所望のコンテンツを使用可能になるまでの処理を、図２のハードウエア構成を用いて説明する。【００４１】  無線通信アダプタ２０が端末機１０のＩ／Ｆコネクタ１６に接続されると、端末機１０のＣＰＵ１１は、接続されたものが何であるかの問い合わせ信号をＩ／Ｆコネクタ１６、２７、インターフェース２８を介して、無線通信アダプタ２０側のＣＰＵ２１に送出する。【００４２】  無線通信アダプタ２０内のＲＯＭ２３には、端末１０においてユーザがアクセス先のコンテンツサーバ８０を指定するときに使用する「接続用プログラム」が記憶されている。前記問い合わせ信号を受けると、ＣＰＵ２１は、ＲＯＭ領域２３内の前記表示プログラ厶を、端末機１０のＲ���Ｍ１４にロードする。【００４３】  ＣＰＵ１１は、これを立ち上げ、このプログラムに従って、端末機１０のＬＣＤ１２に、前記表示プログラムに従って、たとえば「接続先を選択し、スタートボタンを押してください。」などのインターネット接続のための表示を行う。ここで端末機に設けている十字キーなどのＩ／Ｏ（１５）で、ユーザが所望の接続先を選択し、決定ボタン（たとえばスタートボタン）を押すと、その指令はＣＰＵ１１により、インターフェース２８を介して無線通信アダプタ２０のＣＰＵ２１に通知される。【００４４】  尚、ＲＯＭ２３に格納されている接続用プログラムは、端末機１０のＯＳが読み取り可能なプログラムである。また、ＲＯＭ２３には、後述する無線通信モジュール（又は無線通信カード）を駆動するためのドライバーソフトウエアが、前記接続用プログラムとは別の領域に格納されている。【００４５】  無線通信アダプタ２０のＣＰＵ２１が、インターネット接続指令（特定のＵＲＬ）を受け取ると、無線通信モジュール２５は、ＣＰＵ２１の指令に基づき、ブロードバンドモデム５０に接続されている無線通信カード７０と無線接続する。【００４６】  この無線通信アダプタ２０からブロードバンドモデム５０の無線通信カード７０へ無線送信される信号には前記選択された接続すべきＵＲＬ情報が含まれ、ブロードバンドモデム５０のＣＰＵ（図示せず）はこの信号を解読し、端末機１０と合体した無線通信アダプタ２０をブロードバンド回線を利用して、指定されたコンテンツサーバ８０に接続する。【００４７】  コンテンツサーバ８０に接続されると、端末機１０と合体した無線通信アダプタ２０とコンテンツサーバ８０間で通信が確立され、両者間での双方向通信が可能になる。ここで、端末機１０より、コンテンツサーバ８０で提供している所定コンテンツのダウンロード要求があると、要求のあったコンテンツ（音楽、画像、コンピュータプログラム、データなど）は、ブロードバンドモデム５０に送信され、ブロードバンドモデム５０のＣＰＵはこれを無線送信可能にデータ変換を行って、無線通信カード７０により無線通信アダプタ２０の通信モジュール２５に送信する。【００４８】  無線通信アダプタ２０の通信モジュール２５に送信されたコンテンツ情報は、ＣＰＵ２１の指令に基づきコンテンツメモリー（ＲＯＭ）２９に格納（ダウンロード）される。【００４９】  この後、ユーザはこのコンテンツメモリー（ＲＯＭ）２９にダウンロードしたコンテンツ情報を端末機１０で読み出して利用する。以下、端末機１０における、ダウンロードしたコンテンツ情報の利用方法について説明する。【００５０】  端末機１０のＣＰＵ１１からコンテンツのロード要求がＣＰＵ２１になされると、ＣＰＵ２１は、これを受けて、ＲＯＭ２９に格納しているコンテンツデータを、デコーダ２６でデコードしてからインターフェース２８を介して、ＲＡＭ１４にロードする。ここでデコードとは、送信されたコンテンツデータの伸張の他、コンテンツ情報が著作権などの理由によって特定ユーザ（利用できる会員など）のみに利用可能に暗号化されている場合、その暗号を解読することをいう。デコードにより、ＲＡＭ１４にロードされたコンテンツ情報は、端末機１０で即利用できる。【００５１】  尚コンテンツメモリーであるＲＯＭ２９はコンテンツ記憶用の半導体メモリー（フラッシュメモリー）で構成することができ、このメモリーの容量次第で、ダウンロード可能なコンテンツの容量が決定される。そのため、図２に示すように、無線通信アダプタ２０に、ＳＤ（セキュアーデジタル）カード、メモリースティック（Ｒ）などの外部ストレージデバイス３２の接続用のコネクタ３０を設け、これらストレージデバイス３２に、前記コンテンツサーバ８０から取得したコンテンツ情報を保存しておくことが好ましい。ＳＤカードを利用する場合は、特に著作権上の問題（複製権など）の解決に好適である。【００５２】  ここで無線通信アダプタ２０のＲＯＭ２３にストリーム用のソフトウエアを記憶しておいてもよい。このようにすれば、ＲＯＭ２９にダウンロードしたコンテンツデ情報が端末機１０のＲＡＭ１４の記憶容量を超えるような動画情報のような大容量のものであっても、端末機１０はこれをストリームで楽しむことができる。【００５３】  ここで、無線通信アダプタ２０とブロードバンドモデム５０間の無線通信はデジタル内線通信の他、Ｂｌｕｅｔｏｏｔｈ（Ｒ）規格の無線通信でもよい。この場合は、Ｂｌｕｅｔｏｏｔｈ（Ｒ）通信モジュールを無線通信アダプタ２０に内蔵するか、同通信規格のカードを無線通信アダプタ２０に挿し込んで使用すればよい。【００５４】  さらに、端末機とブロードバンドモデム間を無線によりデータ送受信することにより、特段の障害がない限り、端末機は屋内の比較的広範囲で使用できる。特にデジタル内線機能を用いる場合は、その親機機能を有するブロードバンドモデムに対し複数の子機端末が無線でインターネット接続が可能となる。この場合、各子機にその識別ＩＤを付与し、時分割方式などを用いて複数の子機端末の同時接続も可能である。これは、たとえば、端末機がオーディオ機器と電子調理器など、異なる種類の機器で構成される場合、特に有効である。【００５５】  尚、無線通信アダプタ２０やブロードバンドモデム５０において、無線通信カードを使用する場合、ＰＣカード、ＣＦ（Ｒ）カード、ＳＤカード、メモリースティック（Ｒ）のうち何れかのＩ／Ｏカード規格に準拠したものを使用することができる。【００５６】  以上本発明の実施を実施するための最良の形態について詳述したが、本発明は、上記実施例の構成のみに限定されるものではなく、多様な態様が可能である。例えば、上述した実施例では無線データ通信方式としてデジタル内線やＢｌｕｅｔｏｏｔｈ（Ｒ）について説明したが、今後新たに開発される方式でも実施しうることは言うまでもない。【００５７】  また、Ｉ／Ｆコネクタを設けてあるものであれば、オーディオ機器、ＤＶＤデッキ、電子調理器、その他各種家電機器用にインターネット接続アダプタを設計し、これを用いてコンテンツサーバ８０から、たとえば、画像（動画、静止画）、音楽、各種データなど所望のコンテンツをロードしてこれを利用でき、別途携帯電話などからアクセスする必要がない。
【図面の簡単な説明】
【００５８】
【図１】  本発明のインターネット接続用無線通信アダプタを利用したインターネット上のコンテンツ利用方法を実施するシステム全体の構成概念を示す説明図である。
【図２】  端末機と無線通信アダプタのハードウエア構成図である。
【符号の説明】
【００５９】  １０・・・端末機
２０・・・無線通信アダプタ（端末機用インターネット接続アダプタ）
３０・・・外部ストレージデバイス用コネクタ
３２・・・外部ストレージデバイス
５０・・・ブロードバンドモデム
６０・・・インターネット網
７０・・・無線通信カード
８０・・・コンテンツサーバ
【図１】
2005080276.tif 000003
【図２】
2005080276.tif 000004